(57)【要約】【課題】  一般的なＥＶＦの電気的な接続方法としては、リード線やフレキシブル基盤による方法が考えられるが、その場合ミラー駆動の際の妨げとなる恐れがある。【解決手段】  レンズからの被写体像をファインダに導く、被写体観察位置とレンズからの被写体像を撮像素子に受光させる撮像位置の間で往復回動運動するメインミラーを、撮像素子の撮影画像等を表示する表示機能と被写体像をファインダに導くミラーの機能を併せもつように構成し、メインミラーのミラー機能を使って焦点板上の被写体像を、ファインダで観察するＯＶＦモードと、メインミラーのアップ状態で被写体のライブビュー画像をメインミラーの表示機能で表示してファインダで観察するＥＶＦモードを有するカメラのファインダ装置において、ＥＶＦモード時の表示部との電気的な接続を接点ピンと接続部で行い、メインミラーをロックする事で安定した電源供給、通信等が行なえる機構を設けた。【選択図】  図１（ａ）
2018072404.tif 000002
【特許請求の範囲】
【請求項１】
レンズ（２）からの被写体像をファインダに導く、被写体観察位置とレンズ（２）からの被写体像を撮像素子（１７）に受光させる撮像位置の間で往復回動運動するメインミラー（４）を、撮像素子（１７）の撮影画像を表示する表示機能と被写体像をファインダに導くミラーの機能を併せもつように構成し、
メインミラー（４）のミラー機能を使って焦点板（１１）上の被写体像を、ファインダで観察するＯＶＦモードと、メインミラー（４）のアップ状態で被写体のライブビュー画像をメインミラー（４）の表示機能で表示してファインダで観察するＥＶＦモードを有するカメラのファインダ装置において、ＥＶＦモード時の表示部（６）との電気的な接続を接点ピン（２０）で行い、ＥＶＦモード時にはメインミラー（４）をロックする機構（２３、２４）を設けたことを特徴とするカメラのファインダ装置。
【請求項２】
前記ロック機構は、メインミラー（４）をロックするレバー（２４）と、ロックレバー（２４）を駆動するアクチュエータ（２３）から構成されていることを特徴とする請求項１記載のカメラのファインダ装置。
【発明の詳細な説明】
【技術分野】
【０００１】
本発明は、カメラのファインダに関し、特に光学ファインダ（ＯＶＦ）と電子ビューファインダ（ＥＶＦ）の両方の機能を持った一眼レフカメラの、前記電子ビューファインダ（ＥＶＦ）モード時の電気的な接続方法に関するものである。
【背景技術】
【０００２】
従来、カメラのファインダとして光学ファインダ（ＯＶＦ）と電子ビューファインダ（ＥＶＦ）があり、ＯＶＦは、電力を消費することなく、被写体像を鮮明に表示することができる等、優れた特徴を有している。
【０００３】
一方、ＥＶＦは、白黒モード、セピア調モード、色調や彩度の調整等、画像処理の結果を反映して表示を行える。また、撮像素子の連続的な撮影画像を表示する、いわゆるライブビュー表示が可能となっている。更に、ＥＶＦにおいてもＯＶＦと同様に接眼レンズを覗いて被写体像を観察できるものもある。
【０００４】
例えば、特許文献１では、撮影光路内にミラーを配置したデジタルカメラにおいて、ミラーが損傷し難いデジタルカメラを提供するとして、撮影レンズを通過した被写体光束を撮像して被写体像信号出力するＣＣＤと、このＣＣＤの光路内にあって、制御信号に応じて被写体光束を反射若しくは透過する状態に変化する液晶ミラーと、この液晶ミラーが反射状態にあるときに反射された被写体光束を受光して撮影レンズの焦点状態を検出する測距／測光センサと、液晶ミラーが透過状態にあるときにＣＣＤから出力される被写体像信号に基づいて被写体の動画像をスルー画表示する背面液晶モニタを具備し、液晶ミラーが反射状態にあるときはスルー画表示にあたって動画像に代えて静止画像を表示するとなるものが開示されている。
【先行技術文献】
【特許文献】
【０００５】
【特許文献１】特開２００８−２２３０３号公報
【発明の概要】
【発明が解決しようとする課題】
【０００６】
しかしながら、上述の特許文献に開示された従来技術では、ＥＶＦモードへ切換えた際の液晶ミラーの電気的な接続の方法、ミラーロック方法については何ら明記されていない。また、一般的なＥＶＦ時の電気的な接続方法としては、リード線やフレキシブル基盤による方法が考えられるが、ミラー駆動系へ設置した場合ミラー駆動の際の妨げとなる恐れがある。
【０００７】
そこで、本発明の目的は、ＯＶＦモードからＥＶＦモードに切り替えた際に安定した電源供給、通信等を行う為に、ＥＶＦモード時にはミラーアップ状態でロックする機構を設け不用意にミラーがダウンしないようにしたカメラのファインダ装置を提供することである。
【課題を解決するための手段】
【０００８】
上記目的を達成するために、本発明は、レンズからの被写体像をファインダに導く、被写体観察位置とレンズからの被写体像を撮像素子に受光させる撮像位置の間で往復回動運動するメインミラーを、撮像素子の撮影画像を表示する表示機能と被写体像をファインダに導くミラーの機能を併せもつように構成し、メインミラーのミラー機能を使って焦点板上の被写体像を、ファインダで観察するＯＶＦモードと、メインミラーのアップ状態で被写体のライブビュー画像をメインミラーの表示機能で表示してファインダで観察するＥＶＦモードを有するカメラのファインダ装置において、ＥＶＦモード時にメインミラーの表示器との電気的な接続を接点ピンと接続部によって行うことを特徴とするカメラのファインダ装置である。
【０００９】
さらに、上記目的を達成するために、本発明は、レンズからの被写体像をファインダに導く、被写体観察位置とレンズからの被写体像を撮像素子に受光させる撮像位置の間で往復回動運動するメインミラーで、撮像位置に退避した時に該メインミラーの裏面側の開口部を塞ぐ為の遮光板を有し、該遮光板のメインミラー側の面に撮像素子の撮影画像等を表示する表示部を設け、レンズからの被写体像をメインミラーでファインダに導いて被写体を観察するＯＶＦモードと、メインミラーのアップ状態で前記遮光板に設けた表示部に被写体のライブビュー画像を表示してファインダで観察するＥＶＦモードを有するカメラのファインダ装置において、ＥＶＦモード時の表示部との電気的な接続を接点ピンで行い、メインミラーをロックする事で安定した電源供給、通信等が行なえる機構を設けたことを特徴とするカメラのファインダ装置である。
【００１０】
上記の発明の概要は、本発明の特徴を全て列挙したものではない。
【発明の効果】
【００１１】
本発明によればミラー駆動部表示機能を備えたカメラにおいて、ＥＶＦモード時の表示器への電気的な接続が容易に行うことが出来、不用意にミラーがダウンしなくなる為、安定した電源供給、通信等が行なえるカメラのファインダ装置を提供することができる。
【図面の簡単な説明】
【００１２】
【図１（ａ）】本発明の第１の実施の形態に係るカメラの概略構成図
【図１（ｂ）】本発明の第１の実施の形態に係るカメラの概略構成図
【図２】本発明の実施の形態に係る電気ブロック図である。
【図３（ａ）】本発明の第１の実施の形態に係る動作の説明図である。
【図３（ｂ）】本発明の第１の実施の形態に係る動作の説明図である。
【図３（ｃ）】本発明の第１の実施の形態に係る動作の説明図である。
【図４（ａ）】本発明の第１の実施の形態に係る作動の説明フローチャートである。
【図４（ｂ）】本発明の第１の実施の形態に係る作動の説明フローチャートである。
【図４（ｃ）】本発明の第１の実施の形態に係る作動の説明フローチャートである。
【発明を実施するための形態】
【００１３】
以下に、本発明の好ましい実施の形態を、添付の図面に基づいて詳細に説明する。図１は、本発明の実施形態にかかわるカメラの概略構成図である。以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１４】
［実施例１］
以下、図１〜図４を参照して、本発明の第1の実施例による、カメラのファインダ装置について説明する。図１において、カメラ本体１には、レンズマウント３を介して撮影光学系を有する撮影レンズユニット２が着脱可能に装着されている。前記撮影レンズユニット２は交換可能ではなく、カメラ本体１に一体的に固定されていてもよい。
【００１５】
カメラ本体１には、メインミラー４が被写体像をファインダに導く位置と被写体像を撮像素子１７へ導く位置の間で、回動可能にヒンジ軸７ａで軸支されている。撮影を行うための被写体像を撮像素子１７へ導く位置では、不図示のミラー駆動機構によりメインミラー４の先端がストッパー１４に当接して停止する。
【００１６】
メインミラー４が停止した際にカメラ本体側の接点ピン２０と図１（ｂ）に示すメインミラー側の接続部２２が当接することで電気的な接続がなされる。メインミラー４は、通常ハーフミラーになっていて、反射した光束はファインダへと導かれ、透過した光束は、サブミラー８にて下方へ反射し焦点検出装置１８へと導かれる。サブミラー８は保持枠７の開口部（不図示）を塞ぐ位置で止まる。
【００１７】
カメラ本体１には、撮像素子１７への光量を制御するシャッタ１６、焦点板１１、ペンタプリズム１２、接眼レンズユニット１３、等が配置されている。そして、焦点板１１、ペンタプリズム１２、接眼レンズユニット１３によって光学ファインダ（ＯＶＦ）が構成されている。
【００１８】
撮像素子１７には、撮影光学系を通過した被写体像（光学像）が結像し、撮像素子１７は、光電変換によって光学像に応じた電気信号（アナログ信号又は画像信号）を出力する。撮像素子１７として、例えば、ＣＭＯＳセンサが用いられる。なお、ＣＭＯＳセンサの代わりにＣＣＤセンサなどの他の撮像デバイスを用いるようにしてもよい。メインミラー４は光軸１９に対して４５度傾けて配置され、撮影レンズユニット２から入射した光はメインミラー４によって分光（分岐）される。
【００１９】
一方、メインミラー４で反射した光は、光軸１９に対して９０度の角度で上方に向かい、焦点板１１およびペンタプリズム１２を介して接眼レンズユニット１３に導かれる。また焦点板１１に投影された被写体像を、撮影者は接眼レンズユニット１３内のレンズをカメラの操作部材である不図示のボタンを操作して、視度調整モータ６０を駆動して撮影者の視度に合わせて鮮明な被写体像を確認することができる。
【００２０】
メインミラー４は、図１（ｂ）で示すハーフミラーからなるミラー部５と、その裏側にＥＬ素子からなる透明表示部材を使ったＥＶＦ表示部６が配置されて、保持枠７によってミラー部５とＥＶＦ表示部６が保持されている。保持枠７には、撮影レンズユニット２から入射した光を焦点検出装置１８に導く為の開口部（不図示）が設けられている。ＥＶＦ表示部６には接点ピン２０と電気的な接続を行う接続部２２と電気回路２１を備えている。
【００２１】
また、図３で示すように、ＥＶＦモード時にはメインミラー４を駆動し、前記接点ピン２０との電気的な接続が行なわれる。アクチュエータ２３が動き出しロックレバー２４が回転する仕組みになっている。ロックレバー２４が回転することで前記メインミラー４にロックを掛け、不用意にメインミラー４が落ちることのないようにする。
【００２２】
ＥＶＦ表示部６は、ＯＶＦモードでは、透明状態で撮影レンズユニット２から入射した光は、メインミラー４を通過して焦点検出部１８に入る。ＥＶＦ表示部６は、ＥＬ（エレクトロルミネッセンス）素子を用いることにより、透明度と透過率が高く焦点検出装置１８への光量の低下を少なく出来る。
【００２３】
前記、ＥＶＦ表示部６には、ＥＬ素子を用いた透明表示部材の他に、液晶表示部材、蛍光表示管等を用いることができる。以上が本発明の第１の実施例のカメラの概略構成の説明である。
【００２４】
図２は、本実施例における、電気ブロック図で、１７は被写体からの反射光を電気信号に変換する撮像素子である。撮像素子１７には、焦点検出機能を持つものもあり、画素部の中に位相差オートフォーカスをするための焦点情報信号の検出用画素を配置した撮像素子も開示されている。
【００２５】
３１は、前置処理回路であり、撮像素子１７の出力ノイズ除去のためのＣＤＳ回路やＡ／Ｄ変換前に行う非線形増幅回路を備えている。３２はアナログ出力をデジタル信号化するＡ／Ｄ変換器。３３はバッファメモリ、３４はメモリの読み書き動作や、リフレッシュ動作等を制御するためのメモリコントローラ、３９は撮影シーケンスなどシステムを制御するためのシステム制御用ＣＰＵ。３５は、拡張ユニット３６とのインターフェースである。
【００２６】
３６は、着脱自在な拡張ユニットであり、カメラ本体に接続して各種処理や操作を行うためのものである。３７は、後述するメモリカード３８との接続のためのインターフェース、３８はカメラからのデータを記録する記録媒体で、ＥＥＰＲＯＭ、フラッシュメモリ等の不揮発性固体メモリ素子等を有する着脱可能なメモリカード。４０は、システムに電源を投入するためのカメラのメインスイッチである。
【００２７】
４１は、レリーズスイッチ（不図示）で、押圧することで自動焦点機能や自動露出機能等の撮影スタンバイ動作を行うためのスイッチと撮影スタンバイスイッチＯＮ後にレリーズボタンが更に押圧されることによって撮影を行う撮影スイッチの機能を持つ。４２は、カメラを外部から操作するための操作部材制御部で撮影モードの切換え等を行う。４３は、ファインダの切換を行うためのスイッチで、光学ファインダ（ＯＶＦ）と電子ビューファインダ（ＥＶＦ）の切換を行うファインダ切換えＳＷ。４４は、メインミラー４のミラー部５の反射率を制御するための調光ミラー制御部である。
【００２８】
４５はファインダ内表示部、４６はライブビュー状態での被写体像を表示するための外部表示である。４７は撮影補助等、ＥＶＦモード時にライブビュー画像を表示するＥＶＦ表示部６の表示切換えや制御を行う表示制御部、４８は、カメラの制御を行うための電気的に書き換え可能な不揮発性メモリ。
【００２９】
パルス発生回路４９で発生した走査クロックのうち垂直走査用のクロックは、垂直駆動変調回路５０によって、クロック周波数が所定の周波数に変調されて、撮像素子１７に入力される。この垂直駆動変調回路５０によって電子先幕のリセット走査の走査パターンが決定される。
【００３０】
５１は、レンズ２の駆動、ミラーを駆動するためのミラー駆動モータ５２、接眼レンズユニット１３内のレンズを駆動する視度調整モータ６０、ミラーをロックするためのミラーロック駆動回路６２などを駆動するメカ系駆動回路である。５３は、シャッタ１６の制御を行うためのシャッタ制御回路で、撮像素子１７への露光時間の制御を行う。５４は、メインミラー４の駆動やチャージ等を行うミラー駆動モータ５２の制御に使われる位相信号である。
【００３１】
５５は、被写体測光のための測光装置、５６は、焦点検出装置１８等からの出力を使って被写体測距のための制御を行う測距装置、５７は、電子ブザーであり、各種の警告や作動状態を音に変換するものである。５９は、電池等カメラの電源５８の電圧を一定の出力電圧に変換するＤＣ／ＤＣコンバータであり、システム制御用ＣＰＵ３９をはじめとする各回路に電源を供給する。接点ピン２０へはＥＶＦ表示部６の電源供給と表示制御を実装するため、ＤＣ／ＤＣコンバータ５９と表示制御部４７が接続されている。以上が本発明の実施形態にかかわる電機ブロック図の説明である。
【００３２】
図３は、実施例１のＥＶＦについての説明図で、図１（ｂ）は、メインミラー４の拡大断面図、図３（ａ）、は、ＥＶＦモード時の側面図、図３（ｂ）はアンロック時の拡大断面図３（ｃ）はミラーロック機構時の拡大断面図である。図４は、実施例１の動作説明のフローチャートで（ａ）はＯＶＦモードでの撮影動作の説明。（ｂ）はＯＶＦモードからＥＶＦモードに切換えるときの動作説明。（ｃ）はＥＶＦモードでの撮影動作の説明で、図１、図２、図３を併用して説明する。
【００３３】
図４（ａ）のＳ１０１でカメラのメインＳＷ４０をＯＮにすると、ファインダは、通常ＯＶＦモードの状態でカメラが起動する。ＯＶＦモードでは、メインミラー４は、図１の状態になっている。Ｓ１０１で、カメラのメインＳＷ４０がＯＦＦの場合は、Ｓ１００のスタンバイに戻る。
【００３４】
次にＳ１０２でレリーズＳＷ４１が押されるとＳ１０３に進んで、ミラー駆動モータ５２が作動して、不図示のミラー駆動機構によりメインミラー４が跳ね上がる。レリーズＳＷ４１がＯＦＦの場合は、Ｓ１０１に戻る。Ｓ１０４でシャッタ１６の先羽根が作動すると、Ｓ１０５では撮像素子１７に露光が行われる。所定の秒時経過後にＳ１０６でシャッタ１６の後羽根が走行して露光が終了する。
【００３５】
Ｓ１０７では、ミラー駆動モータ５２が作動して、不図示のミラー駆動機構によりメインミラー４が図１のミラーダウン状態になる。同時にＳ１０８で、シャッタ１６のチャージが行われてシャッタ１６は走行前の状態に戻ってＯＶＦモードでの露光が終了する。その後、Ｓ１０２に戻りレリーズＳＷ４１がＯＮになっていると撮影を続けることになる。ＯＶＦモードでは、メインミラー４で反射した被写体像をファインダで観察するため撮影の度にメインミラー４が作動する。以上がＯＶＦモードでの作動説明になる。
【００３６】
次に、撮影者が、ファインダ切換えＳＷ４３をＥＶＦモードに切り換えるときの動作を図４（ｂ）のフローチャートと図２、図３を併用して説明する。図４（ｂ）のＳ２０１で、ファインダ切換えＳＷ４３でＥＶＦモードが選択されるとＳ２０３に進む、ＯＶＦモードが選択された場合は、Ｓ２０２に進んで図４（ａ）のＯＶＦモードでの撮影シーケンスに進む。Ｓ２０３では、ミラー駆動モータ５２が作動して、ライブビュー位相まで作動すると位相信号５４によってミラー駆動モータ５２は停止して、図３のように、不図示のミラー駆動機構によりメインミラー４が跳ね上がる。
【００３７】
メインミラー４は、ストッパー１４に当接して、止まりその状態を維持する。Ｓ２０４へ進み接点部２２はメインミラー４がストッパー１４に当接した位置で接点ピン２０と電気的な接続が行われる。Ｓ２０５でミラーロック駆動回路６２を作動しアクチュエータ２３が駆動してロックレバー２４が回転することでメインミラー４にロックを掛ける。ロックを掛けることで不用意にメインミラー４が落ちることのないようにし電気回路部２１に電源供給される。
【００３８】
Ｓ２０６では、シャッタ１６の先羽根（不図示）が走行する。Ｓ２０７でアパチャ（不図示）が開放されて撮像素子１７に撮影レンズユニット２からの被写体像が結像する。Ｓ２０８では、接眼レンズユニット１３内のレンズを視度調整モータ６０を駆動して、焦点板１１に合っていた焦点をＥＶＦ表示部６に合うようにする。Ｓ２０９では、撮像素子１７で受光したライブビュー画像をＤＣ/ＤＣコンバータ５９からの電圧供給と表示制御部４７からの信号によりＥＶＦ表示部６に表示される。
【００３９】
撮影者は、ＥＶＦ表示部６に表示されるライブビュー画像をファインダで確認する事ができるようになり、ＥＶＦモードへの切り換わりは終了する。撮影者がファインダ切換えＳＷ４３でＯＶＦモードに切換えるまでは、メインミラー４が跳ね上がった、図３の状態が維持されて、撮影が行われることになる。
【００４０】
但し、ＥＶＦモードの状態でカメラのメインＳＷ４０をＯＦＦにしたときには、電源を切る前に、ＯＶＦモードにしてから電源をＯＦＦにしてもよい。ＯＶＦモードにすることで、撮像素子１７をシャッタ１６の羽根で覆う事ができて、待機状態での撮像素子１７へのゴミの付着を少なくできる。
【００４１】
次に、ＥＶＦモードで撮影を行う場合の動きを図４（ｃ）のフローチャートと図１、図２、図３を併用して説明する。図４（ｃ）のＳ３０１では、電子先幕を使った撮影か、メカシャッタを使った撮影かを撮影者が選択して、電子先幕を選択した場合はＳ３０２に進み、メカシャッタを選択した場合にはＳ３０９に進む。
【００４２】
Ｓ３０２でレリーズＳＷ４１がＯＮになるとリセット走査Ｓ３０３が行なわれて、Ｓ３０４では撮像素子１７に露光が行なわれる。Ｓ３０２でレリーズＳＷ４１がＯＦＦの場合はＳ３００のスタンバイに戻る。所定時間経過後にＳ３０５でシャッタ１６の後羽根が走行して露光が終了する。Ｓ３０６ではシャッタ１６のチャージが行われてシャッタは走行前の状態に戻る。
【００４３】
チャージ完了後にＳ３０７でシャッタ１６の先羽根が走行して、アパチャ開口部が開放されて撮像素子１７からのライブビュー画像をＥＶＦ表示部６に表示して、ファインダで被写体の観察が可能になる。Ｓ３０８ではレリーズＳＷ４１がＯＮの場合は、Ｓ３０３に進んで次の撮影が行われる。Ｓ３０８ではレリーズＳＷ４１がＯＦＦの場合はＳ３００のスタンバイに戻る。
【００４４】
次に、Ｓ３０１でメカシャッタが選択されるとＳ３０９に進む。Ｓ３０９でレリーズＳＷ４１がＯＮになるとＳ３１０に進み、ＯＦＦの場合は、Ｓ３００のスタンバイに戻る。Ｓ３１０ではシャッタ１６がチャージされて、シャッタ１６は走行前の状態に戻る。Ｓ３１１ではシャッタ１６の先羽根が走行し、Ｓ３１２では撮像素子１７に露光が行われる。所定の秒時経過後にＳ３１３でシャッタ１６の後羽根が走行して露光が終了する。
【００４５】
Ｓ３１４ではシャッタ１６のチャージが行われるとＳ３１５に進んでレリーズＳＷ４１がＯＮの場合は、Ｓ３１１に進んで次の撮影が行われる。Ｓ３１５でレリーズＳＷ４１がＯＦＦの場合は、Ｓ３１６に進んでシャッタ１６の先羽根が走行して、アパチャ開口部が開放されて撮像素子１７からのライブビュー画像をＥＶＦ表示部６に表示して、ファインダで被写体の観察が可能になってＳ３００のスタンバイに戻る。
【００４６】
また、メインミラー４のミラー部５を反射率が可変の調光ミラーで構成し、ＥＶＦモードでＥＶＦ表示部６に表示を行う際に、調光ミラー制御部４４でミラー部５の反射率を下げることでミラー部５の透過率が上がって、よりＥＶＦ表示部６の表示が見やすくなる。以上がＥＶＦモードでの動作説明になる。
【００４７】
メインミラー４を撮像素子１７の撮影画像等を表示する表示機能と被写体像をファインダに導くミラーの機能を併せもつように構成したファインダ装置において、ＥＶＦ表示部６との電気的な接続を接点ピン２０と接続部２２で行う。メインミラー４をストッパー１４に当接した位置でロックをすることで不用意にミラーがダウンしなくなる為、安定した電源供給、通信等が行なえＥＶＦモード時の表示器への電気的な接続が容易に行うことが出来る。
【００４８】
以上が本発明の第１の実施例のカメラのファインダ装置の説明である。
【符号の説明】
【００４９】
１    ：カメラ本体
２    ：撮影レンズユニット
４    ：メインミラー
６    ：ＥＶＦ表示部
１１  ：焦点板
１２  ：ペンタプリズム
１３  ：接眼レンズユニット
１４  ：ストッパー
１６  ：シャッタ
１７  ：撮像素子
２０  ：接点ピン
２２  ：接続部
２３  ：アクチュエータ
２４  ：ロックレバー
３９  ：マイクロコントローラ
４４  ：調光ミラー制御部
４７  ：表示制御部
５２  ：ミラー駆動モータ
６０  ：視度調整モータ
１０４：メインミラー
１０６：ＥＶＦ表示部
１０８：接続部
１０９：遮光板
【図１（ａ）】
2018072404.tif 000003
【図１（ｂ）】
2018072404.tif 000004
【図２】
2018072404.tif 000005
【図３（ａ）】
2018072404.tif 000006
【図３（ｂ）】
2018072404.tif 000007
【図３（ｃ）】
2018072404.tif 000008
【図４（ａ）】
2018072404.tif 000009
【図４（ｂ）】
2018072404.tif 000010
【図４（ｃ）】
2018072404.tif 000011